(57)【要約】【課題】自機との通信確立が可能な候補として、複数の通信確立候補が検索された場合においても、より確実で、かつ迅速に、希望する通信相手を選択することができる通信システム、通信装置、通信機器、通信確立方法、及びコンピュータプログラムを提供する。【解決手段】例えば、自機との通信確立が可能な通信相手を検索した場合であって、受信電波に係る識別情報が同一であることから、複数の通信相手候補が検索された場合、該複数の通信相手候補の通信装置から装置情報を取得して表示し、表示された装置情報の中の何れかの装置情報の選択をユーザから受け付ける。この際、受け付けられた選択に係る装置情報に対応する通信装置を、通信確立を行なうべき通信装置として選択し、当該通信装置との通信確立が行なわれる。【選択図】図２
2013143697.tif 000002
【特許請求の範囲】
【請求項１】
識別情報が同一である通信装置を含む複数の通信装置と、何れかの通信装置と通信を行なう相手通信装置とを有しており、前記通信装置は自機の識別情報を含む電波を発し、前記相手通信装置は受信電波に係る識別情報によって特定される通信装置と通信確立を行なう通信システムにおいて、
前記複数の通信装置は、
自機の設置場所を表す場所情報を含む装置情報を記憶する記憶部を夫々備えており、
前記相手通信装置は、
複数の通信装置からの受信電波に係る識別情報が同一である場合、該複数の通信装置から装置情報を取得して表示する表示手段と、
表示された装置情報の中、何れかの選択を受け付ける選択受付手段と、
受け付けられた選択に係る装置情報に対応する通信装置を、通信確立を行なうべき通信装置として選択する選択手段と
を備えることを特徴とする通信システム。
【請求項２】
前記相手通信装置は、
識別情報が同一である前記複数の通信装置の中、前記選択手段によって選択された被選択通信装置を除く残余通信装置に対する情報要求を受け付ける要求受付手段と、
受け付けた情報要求を前記被選択通信装置に送信する要求送信部とを備えており、
前記複数の通信装置は、
夫々の記憶部が自機と前記識別情報が同一である他の通信装置から前記装置情報を取得して記憶し、
前記情報要求を受信した場合、前記記憶部に記憶された他の通信装置の装置情報を前記相手通信装置に送信する情報送信部と
を備えることを特徴とする請求項１に記載の通信システム。
【請求項３】
識別情報が同一である外部装置を含んでおり、自機の識別情報を含む電波を発し、自機の設置場所を表す場所情報を含む装置情報を記憶している複数の外部装置の中、何れかとの通信を行なう通信装置であって、受信電波に係る識別情報によって特定される外部装置と通信確立を行なう通信装置において、
複数の外部装置からの受信電波に係る識別情報が同一である場合、該複数の外部装置から装置情報を取得して表示する表示手段と、
表示された装置情報の中、何れかの選択を受け付ける選択受付手段と、
受け付けられた選択に係る装置情報に対応する外部装置を、通信確立を行なうべき外部装置として選択する選択手段と
を備えることを特徴とする通信装置。
【請求項４】
識別情報が同一である前記複数の外部装置の中、前記選択手段によって選択された被選択外部装置を除く残余外部装置に対する情報要求を受け付ける要求受付手段と、
受け付けた情報要求を前記被選択外部装置に送信する要求送信部とを備えることを特徴とする請求項３に記載の通信装置。
【請求項５】
自機の設置場所を表す場所情報を含む機器情報を記憶しており、自機の識別情報を含む電波を発して、該電波を受信する外部装置と通信確立を行なう通信機器において、
自機と前記識別情報が同一である他の通信機器から前記機器情報を取得して記憶する記憶部と、
前記他の通信機器の機器情報の要求を外部装置から受信する受信部と、
前記要求を受信した場合、前記記憶部に記憶されている他の通信機器の機器情報を前記外部装置に送信する送信部と
を備えることを特徴とする通信機器。
【請求項６】
識別情報が同一である外部装置を含んでおり、自機の識別情報を含む電波を発し、自機の設置場所を表す場所情報を含む装置情報を記憶している複数の外部装置の中、何れかと通信を行なう通信装置にて、受信電波に係る識別情報によって特定される外部装置と通信確立を行なう通信確立方法において、
複数の外部装置からの受信電波に係る識別情報が同一である場合、該複数の外部装置から装置情報を取得して表示する表示ステップと、
表示された装置情報の中、何れかの選択を受け付ける選択受付ステップと、
受け付けられた選択に係る装置情報に対応する外部装置を、通信確立を行なうべき外部装置として選択する選択ステップと
を含むことを特徴とする通信確立方法。
【請求項７】
識別情報が同一である外部装置を含んでおり、自機の識別情報を含む電波を発し、自機の設置場所を表す場所情報を含む装置情報を記憶している複数の外部装置の中、何れかと通信を行なう通信装置を構成するコンピュータに、受信電波に係る識別情報によって特定される外部装置と通信確立を行なわせるコンピュータプログラムにおいて、
コンピュータに、複数の外部装置からの受信電波に係る識別情報が同一である場合、該複数の外部装置から装置情報を取得して表示させる表示ステップと
コンピュータに、表示された装置情報の中、何れかの選択を受付させる選択受付ステップと、
コンピュータに、受け付けられた選択に係る装置情報に対応する外部装置を、通信確立を行なうべき外部装置として選択させるステップと
を実行させることを特徴とするコンピュータプログラム。
【発明の詳細な説明】
【技術分野】
【０００１】
本発明は、自機との通信確立が可能な通信相手の候補として、複数の通信相手候補が検索された場合、的確に通信相手を選択できる通信システム、通信装置、通信機器、通信確立方法、及びコンピュータプログラムに関する。
【背景技術】
【０００２】
従来、携帯端末内に保存されたデータに基づき、コンビニエンスストア等の公衆エリアに設置された印刷装置にて印刷を行う場合、該携帯端末から、当該印刷装置へどのようにしてデータを転送するかが重要課題になっていた。
【０００３】
これに対して、携帯端末に着脱可能であり印刷したいデータが記憶されているメモリカードを携帯端末から取り出して当該印刷装置に挿入する方法、有線ケーブルの接続によるデータ送信方法、又は赤外線による無線通信によるデータ送信方法等が用いられていた。
【０００４】
しかしながらこのような方法は、メモリカードの取出し、有線ケーブルの接続作業の手間等がユーザにとって面倒である。
【０００５】
赤外線を用いる無線通信の場合においても、赤外線通信範囲が比較的狭いこと、また通信速度が比較的遅いことに加え、近年の携帯端末が搭載するカメラの高画素化に伴う通信データ量の増大によって所要通信時間も長くなる傾向にあることから、通信中は携帯端末を通信相手の赤外線通信範囲内で長時間保持し続ける必要があり、ユーザに対する負担が増大しつつあった。
【０００６】
このような問題に対して、特許文献１には、装置固有の識別情報から無線装置を検索して接続を確立する機器登録方法が開示されている。
【０００７】
また、特許文献２には、携帯端末が印刷装置に近接したことを検知した場合、該携帯端末側で印刷用ユーザインタフェースを起動する制御方法が開示されている。
【先行技術文献】
【特許文献】
【０００８】
【特許文献１】特開２００４−１７９８７２号公報
【特許文献２】特開２００７−７９６３９号公報
【発明の概要】
【発明が解決しようとする課題】
【０００９】
一方、同一のネットワーク識別子を有するアクセスポイント又は通信装置が複数存在するような無線ＬＡＮ通信の環境下では、ユーザはどちらのアクセスポイント又は通信装置と接続したらよいか分からないという問題が生じる。
【００１０】
すなわち、所定の店舗内に位置するユーザが、当該店舗に設置された印刷装置との通信確立を試みる場合、同一のネットワーク識別子を有する近隣の他店舗の印刷装置までが通信確立候補として共に検索され得る。
【００１１】
また、ユーザがこれらの中で１つの印刷装置を選択しようとしても、検索された印刷装置の設置場所は何処なのか分からなく、ユーザの手前の印刷装置はどちらなのか確認できないという問題がある。
【００１２】
しかしながら、特許文献１に記載の機器登録方法及び特許文献２に記載の制御方法ではこのような問題を解決できない。
【００１３】
本発明は、斯かる事情に鑑みてなされたものであり、その目的とするところは、自機との通信確立が可能な候補として、複数の通信確立候補が検索された場合においても、より確実で、かつ迅速に、希望する通信相手を選択することができる通信システム、通信装置、通信機器、通信確立方法及びコンピュータプログラムを提供することにある。
【課題を解決するための手段】
【００１４】
本発明に係る通信システムは、識別情報が同一である通信装置を含む複数の通信装置と、何れかの通信装置と通信を行なう相手通信装置とを有しており、前記通信装置は自機の識別情報を含む電波を発し、前記相手通信装置は受信電波に係る識別情報によって特定される通信装置と通信確立を行なう通信システムにおいて、前記複数の通信装置は、自機の設置場所を表す場所情報を含む装置情報を記憶する記憶部を夫々備えており、前記相手通信装置は、複数の通信装置からの受信電波に係る識別情報が同一である場合、該複数の通信装置から装置情報を取得して表示する表示手段と、表示された装置情報の中、何れかの選択を受け付ける選択受付手段と、受け付けられた選択に係る装置情報に対応する通信装置を、通信確立を行なうべき通信装置として選択する選択手段とを備えることを特徴とする。
【００１５】
本発明にあっては、前記相手通信装置によって複数の通信装置から電波が受信され、該複数の受信電波に係る識別情報が同一である場合、前記表示手段が該複数の通信装置から装置情報を取得して表示し、前記選択受付手段は表示された装置情報の中の何れかの装置情報の選択をユーザから受け付ける。この際、前記選択手段は、受け付けられた選択に係る装置情報に対応する通信装置を、通信確立を行なうべき通信装置として選択し、当該通信装置との通信確立が行なわれる。
【００１６】
本発明に係る通信システムは、前記相手通信装置は、識別情報が同一である前記複数の通信装置の中、前記選択手段によって選択された被選択通信装置を除く残余通信装置に対する情報要求を受け付ける要求受付手段と、受け付けた情報要求を前記被選択通信装置に送信する要求送信部とを備えており、前記複数の通信装置は、夫々の記憶部が自機と前記識別情報が同一である他の通信装置から前記装置情報を取得して記憶し、前記情報要求を受信した場合、前記記憶部に記憶された他の通信装置の装置情報を前記相手通信装置に送信する情報送信部を備えることを特徴とする。
【００１７】
本発明にあっては、識別情報が同一である前記複数の通信装置の中、前記被選択通信装置を除く残余通信装置に対する情報要求を、前記相手通信装置の要求受付手段が受け付けた場合、前記要求送信部は、受け付けた情報要求を前記被選択通信装置に送信する。一方、前記複数の通信装置の各記憶部には、自機と前記識別情報が同一である他の通信装置から取得された装置情報が記憶されている。何れかの通信装置が前記情報要求を受信した場合、該通信装置の情報送信部は、自機の記憶部に記憶されている前記他の通信装置の装置情報を読み出して前記相手通信装置に送信する。
【００１８】
本発明に係る通信装置は、識別情報が同一である外部装置を含んでおり、自機の識別情報を含む電波を発し、自機の設置場所を表す場所情報を含む装置情報を記憶している複数の外部装置の中、何れかとの通信を行なう通信装置であって、受信電波に係る識別情報によって特定される外部装置と通信確立を行なう通信装置において、複数の外部装置からの受信電波に係る識別情報が同一である場合、該複数の外部装置から装置情報を取得して表示する表示手段と、表示された装置情報の中、何れかの選択を受け付ける選択受付手段と、受け付けられた選択に係る装置情報に対応する外部装置を、通信確立を行なうべき外部装置として選択する選択手段とを備えることを特徴とする。
【００１９】
本発明にあっては、前記通信装置によって複数の外部装置から電波が受信された場合であって、該複数の受信電波に係る識別情報が同一である場合、前記表示手段が該複数の外部装置から装置情報を取得して表示し、前記選択受付手段は表示された装置情報の中の何れかの装置情報の選択をユーザから受け付ける。この際、前記選択手段は、受け付けられた選択に係る装置情報に対応する外部装置を通信確立を行なうべき外部装置として選択し、当該外部装置との通信確立が行なわれる。
【００２０】
本発明に係る通信装置は、識別情報が同一である前記複数の外部装置の中、前記選択手段によって選択された被選択外部装置を除く残余外部装置に対する情報要求を受け付ける要求受付手段と、受け付けた情報要求を前記被選択外部装置に送信する要求送信部とを備えることを特徴とする。
【００２１】
本発明にあっては、前記残余外部装置に対する装置情報の要求を前記要求受付手段が受け付けた場合、前記要求送信部は、受け付けた要求に対応する装置情報を前記被選択外部装置に送信する。従って、ユーザは前記被選択外部装置を介して前記残余外部装置に対する装置情報を取得する。
【００２２】
本発明に係る通信機器は、自機の設置場所を表す場所情報を含む機器情報を記憶しており、自機の識別情報を含む電波を発して、該電波を受信する外部装置と通信確立を行なう通信機器において、自機と前記識別情報が同一である他の通信機器から前記機器情報を取得して記憶する記憶部と、前記他の通信機器の機器情報の要求を外部装置から受信する受信部と、前記要求を受信した場合、前記記憶部に記憶されている他の通信機器の機器情報を前記外部装置に送信する送信部とを備えることを特徴とする。
【００２３】
本発明にあっては、前記記憶部には、自機と前記識別情報が同一である他の通信機器から取得された場所情報を含む機器情報が記憶されている。前記受信部が前記機器情報の要求を受信した場合、前記送信部は、前記記憶部に記憶されている前記他の通信機器の機器情報を読み出して前記外部装置に送信する。
【００２４】
本発明に係る通信確立方法は、識別情報が同一である外部装置を含んでおり、自機の識別情報を含む電波を発し、自機の設置場所を表す場所情報を含む装置情報を記憶している複数の外部装置の中、何れかと通信を行なう通信装置にて、受信電波に係る識別情報によって特定される外部装置と通信確立を行なう通信確立方法において、複数の外部装置からの受信電波に係る識別情報が同一である場合、該複数の外部装置から装置情報を取得して表示する表示ステップと、表示された装置情報の中、何れかの選択を受け付ける選択受付ステップと、受け付けられた選択に係る装置情報に対応する外部装置を、通信確立を行なうべき外部装置として選択する選択ステップとを含むことを特徴とする。
【００２５】
本発明に係るコンピュータプログラムは、識別情報が同一である外部装置を含んでおり、自機の識別情報を含む電波を発し、自機の設置場所を表す場所情報を含む装置情報を記憶している複数の外部装置の中、何れかと通信を行なう通信装置を構成するコンピュータに、受信電波に係る識別情報によって特定される外部装置と通信確立を行なわせるコンピュータプログラムにおいて、コンピュータに、複数の外部装置からの受信電波に係る識別情報が同一である場合、該複数の外部装置から装置情報を取得して表示させる表示ステップとコンピュータに、表示された装置情報の中、何れかの選択を受付させる選択受付ステップと、コンピュータに、受け付けられた選択に係る装置情報に対応する外部装置を、通信確立を行なうべき外部装置として選択させるステップとを実行させることを特徴とする。
【００２６】
本発明にあっては、前記通信装置によって複数の外部装置から電波が受信された場合であって、該複数の受信電波に係る識別情報が同一である場合、該複数の外部装置から装置情報が取得されて表示され、表示された装置情報の中の何れかの装置情報の選択がユーザから受け付けられる。この際、受け付けられた選択に係る装置情報に対応する外部装置が通信確立を行なうべき外部装置として選択され、当該外部装置との通信確立が行なわれる。
【発明の効果】
【００２７】
本発明によれば、例えば、所定の通信相手との通信確立のために、自機との通信確立が可能な通信相手を検索した場合、通信確立が可能な通信相手の候補として、複数の通信相手候補が検索された場合であっても、より確実で、かつ迅速に、希望する通信相手を選択することができる。
【図面の簡単な説明】
【００２８】
【図１】本発明の実施の形態１に係る通信システムの概念図である。
【図２】本発明の実施の形態１に係る通信システムの要部構成を示すブロック図である。
【図３】本発明の実施の形態１に係る通信システムにおける、デジタル複合機の外観を示す斜視図である。
【図４】本発明の実施の形態１に係る通信システムのデジタル複合機が取得した他のデジタル複合機の属性情報を表す例示図である。
【図５】本発明の実施の形態１に係る通信システムにおける、携帯電話機の制御部の要部構成を示す機能ブロック図である。
【図６】本発明の実施の形態１に係る通信システムにおける、通信確立の処理を説明するフローチャートである。
【図７】本発明の実施の形態１に係る通信システムにおける、通信確立の処理を説明するフローチャートである。
【図８】本発明の実施の形態１に係る通信システムにおいて、現に通信確立されているデジタル複合機の属性情報を示す表示画面の例示図である。
【図９】本発明の実施の形態１に係る通信システムにおける、近隣装置リストの表示画面を説明する例示図である。
【図１０】本発明の実施の形態２に係る通信システムにおいて、現に通信確立されているデジタル複合機の属性情報を示す表示画面の例示図である。
【図１１】本発明の実施の形態２に係る通信システムにおける、デジタル複合機での固有の模様の表示を例示する例示図である。
【図１２】本発明の実施の形態２に係る通信システムにおける、近隣装置リストの表示画面を説明する例示図である。
【図１３】本発明の実施の形態３に係る通信システムにおける、通信確立の処理を説明するフローチャートである。
【図１４】本発明の実施の形態３に係る通信システムにおける、通信確立の処理を説明するフローチャートである。
【図１５】本発明の実施の形態４の携帯電話機の要部構成を示す機能ブロック図である。
【発明を実施するための形態】
【００２９】
以下、本発明に係る通信装置及び相手通信装置（通信機器、外部装置）を、コピー機能、印刷機能等を有するデジタル複合機と、携帯電話機とに各々適用した場合を例として、本発明に係る通信システムを説明する。
【００３０】
また、本発明に係る通信装置及び相手通信装置は、これらに限るものでなく、相互通信が可能である、ＰＤＡ、ノートＰＣ等であっても良い。
【００３１】
（実施の形態１）
図１は本発明の実施の形態１に係る通信システムの概念図であり、図２は本発明の実施の形態１に係る通信システムの要部構成を示すブロック図である。本実施の形態に係る通信システムは、デジタル複合機１００、…、６００（通信装置、通信機器）及び携帯電話機１０（相手通信装置、通信装置）を有している。
【００３２】
詳しくは、本発明の実施の形態１に係る通信システムは、コンビニエンスストアに設置されているデジタル複合機１００、…、６００と、何れかのコンビニエンスストアのデジタル複合機と無線ＬＡＮの規格（ＩＥＥＥ８０２．１１）に則って無線通信を行なう携帯電話機１０とを含む。
【００３３】
本発明の実施の形態１に係る通信システムにおいては、コンビニエンスストア事業を営む会社毎に異なるネットワーク識別子が付与されている。すなわち、同一会社系のコンビニエンスストアによるネットワークには同一のＳＳＩＤ（Service Set Identifier）が付与されている。
【００３４】
各デジタル複合機１００、…、６００は、自機のＳＳＩＤ（識別情報）を含む電波を常時発しており、ユーザは、携帯電話機１０を用いて何れかの電波を受信し、受信電波に係るＳＳＩＤによって特定されるデジタル複合機と通信を確立し、該デジタル複合機に、例えば、印刷すべき印刷データを送信することができる。
【００３５】
また、本発明の実施の形態１に係る通信システムにおいては、同一のＳＳＩＤを有するデジタル複合機同士間は、いわゆるインフラストラクチャ接続又はアドホック接続が可能であるように構成されている。デジタル複合機同士は、インフラストラクチャ接続又はアドホック接続によって、自機に対する、後述の属性情報（装置情報、機器情報）を相互交換することができる。
【００３６】
以下においては、説明の便宜上、ユーザ（携帯電話機１０）がデジタル複合機１００の近傍に位置しており、携帯電話機１０がデジタル複合機１００と通信を確立する場合を例として説明する。
【００３７】
デジタル複合機１００は、制御部１０１、画像入力部１０７、画像処理部１０８、画像出力部１０９、記憶部１０４、無線ＬＡＮ通信部１０６、自機表示部１０５及び操作パネル１０２等のハードウェアを備え、全体としてデジタル複合機を構成している。
【００３８】
制御部１０１は、これらのハードウェアを制御するＣＰＵと、ハードウェア各部を制御するための制御プログラム等が格納されたＲＯＭと、制御の際に必要なデータ等を一時的に保持するＲＡＭとを備えている。また、制御部１０１は必要に応じてＲＯＭから制御プログラムを読み取り、ＲＡＭにロードして実行することにより、装置全体を本発明に係るデジタル複合機１００として動作させる。
【００３９】
記憶部１０４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部１０４には携帯電話機１０から受信した印刷データが記憶される。
【００４０】
また、記憶部１０４には、自機（デジタル複合機１００）の属性情報、及び前記インフラストラクチャ接続又はアドホック接続によって取得した、自機と同一のＳＳＩＤ（ＳＳＩＤ：○○○○）を有する他のデジタル複合機２００、３００の属性情報が記憶されている。
【００４１】
前記属性情報とは、例えば、デジタル複合機の型番、仕様、ＭＡＣアドレス、ＳＳＩＤ、使用可否、場所情報等である。また、該場所情報とは自機の設置場所を表す情報であって、例えば、「○○店」、「××店奥側」等である。該「○○」、「××」は地名である。
【００４２】
更に、記憶部１０４には、他のデジタル複合機２００、３００とのインフラストラクチャ接続又はアドホック接続のための接続情報が記憶されている。該接続情報は、ＭＡＣアドレス、ＩＰアドレス、ホスト名等のデジタル複合機１００に対する設定情報であり、また、ＳＳＩＤ、チャンネル情報、暗号化（ＷＥＰ）情報、暗号化キー等の無線ＬＡＮ設定情報である。前記チャンネル情報は、無線ＬＡＮ通信に用いられる周波数帯域を示す情報である。
【００４３】
また、操作パネル１０２は、ユーザの指示を受け付けるための各種ボタン、指示の確定を受け付けるエンターキー、テンキー等を備えている。また、操作パネル１０２は表示部１０３を備えている。
【００４４】
表示部１０３は、例えば、ＬＣＤ又はＥＬ（Electroluminescence）パネル等からなり、デジタル複合機１００の状態、ジョブ処理の状況、画像入力部１０７が読み取った原稿の画像及び操作パネル１０２の操作内容の確認等、ユーザに対して報知すべき情報を表示する。
【００４５】
画像入力部１０７は、原稿の画像を光学的に読取る読取手段であり、読取用の原稿に光を照射する光源、例えばＣＣＤ（Charge Coupled Device）のようなイメージセンサ等を備えている。画像入力部１０７では、所定の読取り位置にセットされた原稿からの反射光像を当該イメージセンサに結像させ、ＲＧＢ（R : Red, G : Green, B : Blue）のアナログ電気信号を出力する。画像入力部１０７が出力したアナログ電気信号は画像処理部１０８に入力される。
【００４６】
画像処理部１０８は、画像入力部１０７を通じて入力されるアナログ電気信号を基にデジタル形式の画像データを生成し、該画像データ又は携帯電話機１０から受信した印刷データに対して各種処理を施した後、出力用の画像データを生成する。生成した画像データは画像出力部１０９に出力される。
【００４７】
画像出力部１０９は、画像処理部１０８から出力される画像データに基づいて用紙、ＯＨＰフィルム等のシート上に画像形成を行う。そのため、画像出力部１０９は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００４８】
自機表示部１０５（表示部）は、例えば、ＬＣＤ又はＥＬ（Electroluminescence）パネル等からなり、デジタル複合機１００の前面側であって、ユーザに視認されやすいところに設けられている。また、自機表示部１０５は、自機に係る型番、仕様、場所情報等を表示する。図３は本発明の実施の形態１に係る通信システムにおける、デジタル複合機１００の外観を示す斜視図である。これによって、ユーザは、当該デジタル複合機が、自分が希望するデジタル複合機であるか否かを容易に確認できる。
【００４９】
無線ＬＡＮ通信部１０６（情報送信部、受信部、送信部）は、無線ＬＡＮの規則に則って無線通信を行なうための公知の無線ＬＡＮインタフェースを有しており、制御部１０１からのデータをアナログ信号に変換し、これを電波に変えて外部に送出する。また、無線ＬＡＮ通信部１０６は、外部から受信した電波をアナログ信号に変え、またこれをデータに変換して制御部１０１に送る。
【００５０】
更に、無線ＬＡＮ通信部１０６は、記憶部１０４に記憶されている前記属性情報及び接続情報を外部に常時送出する。例えば、無線ＬＡＮ通信部１０６は、所定の周期にて、前記属性情報及び接続情報をブロードキャストする。これによって、携帯電話機１０との通信確立及び他のデジタル複合機２００、３００との前記属性情報の交換が可能となる。
【００５１】
デジタル複合機１００は、無線ＬＡＮ通信部１０６を介して他のデジタル複合機の属性情報を取得する際、半径１００ｍの範囲内のデジタル複合機のみを対象にするように構成されている。これは、当該デジタル複合機のメンテナンスを行なう管理者の設定によって、具現されるように構成しても良く、予め地図情報を格納しておき、受信した属性情報に含まれる場所情報を該地図情報と比較することによって、具現されるように構成しても良い。
【００５２】
図４は本発明の実施の形態１に係る通信システムのデジタル複合機１００が取得した他のデジタル複合機の属性情報を表す例示図である。図１に示すように、デジタル複合機２００、３００は、デジタル複合機１００から半径１００ｍ内に設置されているので、デジタル複合機１００はデジタル複合機２００、３００から、これらの属性情報を取得し、記憶部１０４に記憶する。
【００５３】
デジタル複合機２００、…、６００の構成は、デジタル複合機１００と同一であり、詳しい説明は省略する。
【００５４】
一方、携帯電話機１０は、制御部１１と、スピーカ１２と、マイク１３と、記憶部１４と、電波強度測定部１５と、表示部１６と、無線ＬＡＮ通信部１７と、操作パネル１８とを備えている。
【００５５】
例えば、スピーカ１２は音声を出力し、マイク１３は音声の入力を受け付ける。また、操作パネル１８は押釦等であり、ユーザの指示を受け付ける。
【００５６】
記憶部１４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部１４には、電話番号、画像データ、印刷データ等が記憶されており、更に、自機（携帯電話機１０）と無線ＬＡＮ通信が可能な相手装置に係るＳＳＩＤが予め記憶されている。
【００５７】
表示部１６は、例えば、ＬＣＤ又はＥＬ（Electroluminescence）パネル等からなり、電波強度測定部１５の測定結果に基づいて選択されたＳＳＩＤに係るデジタル複合機に係る情報、後述する近隣機器リスト等が表示される。また、表示部１６は、その表示面を覆うようにタッチパネルが設けられている。携帯電話機１０は、該タッチパネルを介してユーザからの指示を受け付けることができる。
【００５８】
電波強度測定部１５は、無線ＬＡＮ通信部１７を介して受信した電波の電波強度を測定する。斯かる電波強度の方法としては、例えば、周知のＲＳＳＩ（Received Signal Strength Indication）による方式を用いる。該ＲＳＳＩ方式では、受信電波を電圧として出力し、該電圧をデジタルデータに変換する。得られるデジタルデータは制御部１１に送られる。
【００５９】
無線ＬＡＮ通信部１７（要求送信部）は、無線ＬＡＮの規則に則って無線通信を行なうための公知の無線ＬＡＮインタフェースを有しており、例えば、印刷データをアナログ信号に変換し、これを電波に変えて何れかのデジタル複合機に送出する。また、無線ＬＡＮ通信部１７は、外部から受信した電波をアナログ信号に変え、またこれをデータに変換して制御部１１に送る。また、何れかのデジタル複合機１００が送出する前記属性情報及び接続情報は、無線ＬＡＮ通信部１７によって受信される。
【００６０】
図５は本発明の実施の形態１に係る通信システムにおける、携帯電話機１０の制御部１１の要部構成を示す機能ブロック図である。制御部１１は、ＣＰＵ１と、ＲＯＭ２と、ＲＡＭ３と、電波強度検出部４と、選択部５と、要求受付部６とを備えている。
【００６１】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００６２】
ＣＰＵ１は、ＲＯＭ２に予め格納されている制御プログラムをＲＡＭ３上にロードして実行することによって、上述した各種ハードウェアの制御を行い、装置全体を本発明係る通信システムの携帯電話機１０として動作させる。
【００６３】
電波強度検出部４は、電波強度測定部１５によって変換されたデジタルデータに基づき、無線ＬＡＮ通信部１７によって受信された電波の強度を検出する。電波強度検出部４による検出結果はＲＡＭ３に一時記憶される。
【００６４】
選択部５は、無線ＬＡＮ通信部１７によって複数の電波が受信され、該複数の電波に係る識別情報が同一である場合、何れか１つの識別情報を選択する。詳しくは、選択部５は、電波強度検出部４による、各電波に対する検出結果に基づき、最も電波強度が強い電波（以下、被選択電波という）に係る識別情報を選択する。以下、斯かる識別情報を被選択識別情報という。
【００６５】
要求受付部６は、無線ＬＡＮ通信部１７によって複数の電波が受信され、該複数の電波に係る識別情報が同一である場合、前記被選択識別情報を除く他の識別情報（残余識別情報）に係るデジタル複合機に関する情報を表示部１６に表示する旨の要求を、ユーザから受け付ける。斯かる要求の受け付けは、表示部１６のタッチパネルを介して行なわれる。要求受付部６が斯かる要求を受け付けた場合、ＣＰＵ１は、被選択識別情報によって特定されるデジタル複合機に該要求を送信する。
【００６６】
なお、電波強度検出部４、選択部５及び要求受付部６は、ハードウェアで実行されてもよく、所定のプログラムを実行することにより、ソフトウェア的に構築されてもよい。
【００６７】
図６及び図７は本発明の実施の形態１に係る通信システムにおける、通信確立の処理を説明するフローチャートである。説明の便宜上、ユーザが携帯電話機１０からコンビニエンスストアに設置されたデジタル複合機に印刷データを送信し、該デジタル複合機を用いて印刷を行なう場合を例として説明する。
【００６８】
まず、ユーザは携帯電話機１０の操作パネル１８を適宜操作し、コンビニエンスストアのデジタル複合機を用いた印刷のためのアプリケーションを起動させるよう指示する。ＣＰＵ１は操作パネル１８を介して斯かる指示を受け付け、当該アプリケーションを起動させる（ステップＳ１０１）。
【００６９】
上述したように、デジタル複合機は自機に係る属性情報及び接続情報を含む電波を常時外部に送出している（ステップＳ２０１）。従って、ユーザ（携帯電話機１０）が何れかのデジタル複合機から送出される電波の通信圏内に移動した場合、携帯電話機１０のＣＰＵ１は、無線ＬＡＮ通信部１７を介して、当該デジタル複合機からの電波を受信する（ステップＳ１０２）。
【００７０】
この際、ＣＰＵ１は受信電波に係るＳＳＩＤを、記憶部１４に予め記憶されているＳＳＩＤと比較し、一致するか否かを判定する（ステップＳ１０３）。例えば、受信電波が複数である場合には、各受信電波に係るＳＳＩＤに対してＳＳＩＤが一致するか否かを判定する。
【００７１】
ＣＰＵ１は受信電波に係るＳＳＩＤが記憶部１４に予め記憶されているＳＳＩＤと一致しないと判定した場合（ステップＳ１０３：ＮＯ）、処理をステップＳ１０２に戻す。また、ＣＰＵ１は、受信電波に係るＳＳＩＤが記憶部１４に予め記憶されているＳＳＩＤと一致すると判定した場合（ステップＳ１０３：ＹＥＳ）、ステップＳ１０２にて受信された受信電波が単数であるか否かを更に判定する（ステップＳ１０４）。
【００７２】
ＣＰＵ１は受信電波が単数であると判定した場合（ステップＳ１０４：ＹＥＳ）、処理をステップＳ１０７に進める。  
【００７３】
一方、ＣＰＵ１が受信電波を単数でないと判定した場合（ステップＳ１０４：ＮＯ）、すなわち、受信電波が複数である場合、電波強度検出部４は斯かる複数の受信電波に対して電波強度を検出する（ステップＳ１０５）。電波強度検出部４による電波強度検出については既に上述しており、詳しい説明を省略する。
【００７４】
次いで、電波強度検出部４による電波強度検出結果に基づき、選択部５は最も電波強度の強い受信電波を選択する（ステップＳ１０６）。
【００７５】
ＣＰＵ１は、選択部５によって選択された受信電波（被選択電波）に係る属性情報によって特定されるデジタル複合機に通信確立を要求する（ステップＳ１０７）。
【００７６】
この際、ＣＰＵ１は、前記被選択電波に係る接続情報に基づき、無線ＬＡＮ通信部１７を設定する。すなわち、前記被選択電波に係る接続情報に合わせて、チャンネル情報、暗号化情報、暗号化キー等を調整する。また、通信確立を要求する旨のデータが無線ＬＡＮ通信部１７を介してデジタル複合機１００に送信される。
【００７７】
本実施の形態においては、説明の便宜上、ユーザの位置がコンビニエンスストア○○店の店舗内であり、該○○店舗に設置されたデジタル複合機１００から送出された電波の強度が最も強いので、デジタル複合機１００との通信確立が行なわれるものとする。（図１参照）
【００７８】
これに対して、デジタル複合機１００は前記通信確立の要求を受信し、通信確立の応答を、無線ＬＡＮ通信部１０６を介して携帯電話機１０に送信する（ステップＳ２０２）。
【００７９】
また、デジタル複合機１００の制御部１０１は、記憶部１０４に予め記憶されている自機の属性情報を、無線ＬＡＮ通信部１０６を介して、携帯電話機１０に送る（ステップＳ２０３）。
【００８０】
これに対し、携帯電話機１０のＣＰＵ１は、受信したデジタル複合機１００の属性情報に基づき、現に通信確立されているデジタル複合機に対する属性情報を表示部１６に表示する（ステップＳ１０８）。
【００８１】
図８は本発明の実施の形態１に係る通信システムにおいて、現に通信確立されているデジタル複合機の属性情報を示す表示画面の例示図である。該表示画面には、現に通信確立されているデジタル複合機（装置名）が、「○○店１号機」であるとの旨が表示されている。すなわち、斯かる表示画面には、「○○店」という地名を含む場所情報が含まれているので、ユーザは、現に通信確立されているデジタル複合機が手前のデジタル複合機１００であるか否かを容易、かつ正確に確認できる。
【００８２】
たとえ、ユーザが、斯かる店舗名又は地名を知らない場合であっても、デジタル複合機１００の自機表示部１０５に表示されている装置名と、携帯電話機１０の表示部１６に表示された装置名とを見比べることによって、デジタル複合機１００が現に通信確立されているデジタル複合機であることを、即時、かつ確実に確認することができる。（図３参照）
【００８３】
仮に、同一店舗内に２以上のデジタル複合機が設置されている場合に置いても、対応できる。本発明の実施の形態１に係る通信システムにおいては、このような場合、「○○店奥側」、「○○店手前」等のような場所情報を表示することにより、ユーザによるデジタル複合機の誤認を防ぐことができる。
【００８４】
また、前記表示画面には、「コンビニプリントのメニュー画面を起動」のソフトキーと、「別の店舗のデジタル複合機と接続」のソフトキーが設けられている。
【００８５】
例えば、ユーザが手前のデジタル複合機でよいと判断した場合には、操作パネル１８を適宜操作して「コンビニプリントのメニュー画面を起動」のソフトキーを選択し、該メニュー画面を介して印刷における設定（以下、印刷設定）を行なう。
【００８６】
一方、現に通信確立されている、手前のデジタル複合機１００が故障、メンテナンス等の理由によって使用出来ない場合、ユーザは操作パネル１８を適宜操作して「別の店舗のデジタル複合機と接続」のソフトキーを選択し、近隣の他のデジタル複合機を表示する旨要求する。この際、要求受付部６は操作パネル１８を介して斯かる要求を受け付ける。
【００８７】
この際、ＣＰＵ１は要求受付部６又は操作パネル１８を監視することにより、他のデジタル複合機を表示する要求を受け付けたか否かを判定する（ステップＳ１０９）。
【００８８】
ＣＰＵ１は他のデジタル複合機を表示する要求を受け付けなかったと判定した場合（ステップＳ１０９：ＮＯ）、処理をステップＳ１１６に進める。一方、ＣＰＵ１は他のデジタル複合機を表示する要求を受け付けたと判定した場合（ステップＳ１０９：ＹＥＳ）、近隣の他のデジタル複合機のリスト（以下、近隣装置リストという。）を送信するとの要求を、無線ＬＡＮ通信部１７を介してデジタル複合機１００に送信する（ステップＳ１１０）。
【００８９】
斯かる近隣装置リストは、近隣の他のデジタル複合機に対する属性情報であって、少なくとも当該デジタル複合機の場所情報を含む。
【００９０】
前記要求を受信された場合、デジタル複合機１００の制御部１０１は、半径１００ｍの範囲内の他のデジタル複合機から取得した他のデジタル複合機の属性情報を、記憶部１０４から読み出し、前記近隣装置リストを生成する。記憶部１０４には、図４に示したように、△△店のデジタル複合機２００と、××店のデジタル複合機３００とからの属性情報が取得されて既に記憶されている。
【００９１】
制御部１０１は、この属性情報に基づき、近隣装置リストを生成する。より詳しくは、ＳＳＩＤが自機（デジタル複合機１００）と同一であって、半径１００ｍの範囲内に存在する、他のデジタル複合機のうち、現在使用可能なデジタル複合機を選別して、前記近隣装置リストを生成する（ステップＳ２０４）。
【００９２】
このように生成された近隣装置リストは、無線ＬＡＮ通信部１０６を介して携帯電話機１０に送信される（ステップＳ２０５）。
【００９３】
一方、携帯電話機１０のＣＰＵ１は、デジタル複合機１００から近隣装置リストを受信して表示部１６に表示する（ステップＳ１１１）。
【００９４】
図９は本発明の実施の形態１に係る通信システムにおける、近隣装置リストの表示画面を説明する例示図である。該近隣装置リストの表示画面には、現に通信確立されているデジタル複合機として「○○店１号機」が表示されており、その他のデジタル複合機として「△△店１号機」が表示されている。使用が不可能な状態である××店のデジタル複合機３００は除外されている。
【００９５】
ユーザは操作パネル１８を適宜操作して、表示部１６に表示されたデジタル複合機のうち、何れかを選択することができる。この場合においても、近隣装置リストには各デジタル複合機の場所情報が含まれているので、ユーザは場所情報に基づき、最も近い他のデジタル複合機を選択することができる。
【００９６】
ＣＰＵ１は操作パネル１８を監視することにより、何れかのデジタル複合機の選択を受け付ける（ステップＳ１１２）。また、ＣＰＵ１は、受け付けた選択に係る他のデジタル複合機を、新たに通信確立を行なうべきデジタル複合機として選択する（ステップＳ１１３）。
【００９７】
例えば、ユーザが現に通信確立されている○○店のデジタル複合機１００を選択せず、その他の△△店のデジタル複合機２００を選択した場合、ＣＰＵ１は、通信を切断する通知をデジタル複合機１００に送信する（ステップＳ１１４）。
【００９８】
また、ＣＰＵ１は、△△店のデジタル複合機２００と、上述したような手法によって、通信確立を行なう（ステップＳ１１５）。
【００９９】
この際、デジタル複合機１００の制御部１０１は、無線ＬＡＮ通信部１０６を監視することにより、通信切断の通知を受信したか否かを判定する（ステップＳ２０６）。
【０１００】
制御部１０１は通信切断の通知を受信したと判定した場合（ステップＳ２０６：ＹＥＳ）、無線ＬＡＮ通信部１０６を介して、通信切断の応答を行なった後、携帯電話機１０との通信を切断する（ステップＳ２０７）。この後、処理は終了する。
【０１０１】
一方、制御部１０１は通信切断の通知を受信しなかったと判定した場合（ステップＳ２０６：ＮＯ）、印刷データが受信されたか否かを判定する（ステップＳ２０８）。
【０１０２】
△△店のデジタル複合機２００と携帯電話機１０との通信が確立された場合には、ユーザは操作パネル１８を適宜操作して、図９の表示画面の「コンビニプリントのメニュー画面を起動」のソフトキーを選択し、印刷設定を行なう。
【０１０３】
ＣＰＵ１は、当該メニュー画面を介してユーザから印刷設定を受け付ける（ステップＳ１１６）。ユーザからの印刷設定の受付が完了した場合、ＣＰＵ１は、受け付けた印刷設定と共に印刷データを、現に通信確立されている△△店のデジタル複合機２００に送信する（ステップＳ１１７）。
【０１０４】
ただし、ステップＳ１０９で、ＣＰＵ１によって、他のデジタル複合機を表示する指示を受け付けなかったと判定された場合、又は、ステップＳ１１２にて○○店のデジタル複合機１００が選択された場合、換言すれば、現に通信確立されているデジタル複合機が○○店のデジタル複合機１００のままである場合は、通信確立の切断は行われず、ＣＰＵ１は、受け付けた印刷設定と共に印刷データを○○店のデジタル複合機１００に送信する。
【０１０５】
一方、デジタル複合機１００の制御部１０１は印刷データが受信されなかったと判定した場合（ステップＳ２０８：ＮＯ）、処理をステップＳ２０６に戻す。
【０１０６】
また、制御部１０１は印刷データが受信されたと判定した場合（ステップＳ２０８：ＹＥＳ）、受信された印刷データと、該印刷データと共に受信された印刷設定とに基づき印刷を行なうように、画像出力部１０９に指示する。画像出力部１０９は制御部１０１からの指示に応じて、当該印刷設定に則って、当該印刷データに基づく画像を用紙上に形成する（ステップＳ２０９）。
【０１０７】
以上の記載においては、本発明の実施の形態１に係る通信システムが、携帯電話機１０及びデジタル複合機１００によってのみ構成されている場合について説明したが、これに限るものでない。
【０１０８】
例えば、同一ＳＳＩＤを有するデジタル複合機の属性情報及び接続情報をまとめて記憶しているサーバが、携帯電話機１０及びデジタル複合機１００の間に介在する構成であっても良い。すなわち、携帯電話機１０はデジタル複合機の属性情報及び接続情報を該サーバから取得し、かつ前記近隣装置リストの生成も前記サーバにて行なわれるように構成する。
【０１０９】
以上の記載においては、ネットワーク識別子としてＳＳＩＤが用いられる場合について説明したがこれに限るものでなく、例えば、ＥＳＳＩＤがネットワーク識別子として用いられる場合であっても良い。
【０１１０】
（実施の形態２）
本発明の実施の形態２に係る通信システムにおいては、デジタル複合機１００の記憶部１０４に、自機の属性情報として所定の模様が記憶されている。該模様は、例えば、星、エックス、三角形、四角形等の図形、及び、写真、絵文字等である。斯かる模様は、デジタル複合機１００に固有のものであり、該模様によって対応するデジタル複合機が特定出来る。
【０１１１】
すなわち、本発明の実施の形態２に係る通信システムにおいては、デジタル複合機１００、２００、３００の各々の記憶部に、自機に固有の模様が属性情報として記憶されている。デジタル複合機１００、２００、３００は該模様を携帯電話機１０に送信し、携帯電話機１０の表示部１６には、斯かる模様が表示される。
【０１１２】
以下において、図６に示す例に基づき、より詳しく説明する。説明の便宜上、実施の形態２に係る通信システムにおいては、デジタル複合機１００に固有の模様が星の模様であるとする。
【０１１３】
図６に示す例と同様に、実施の形態２においても、デジタル複合機１００が記憶部１０４に予め記憶されている自機の属性情報を無線ＬＡＮ通信部１０６を介して携帯電話機１０に送り（ステップＳ２０３）、携帯電話機１０では受信したデジタル複合機１００の属性情報に基づき、現に通信確立されているデジタル複合機（デジタル複合機１００）に対する属性情報を表示部１６に表示する（ステップＳ１０８）。
【０１１４】
図１０は本発明の実施の形態２に係る通信システムにおいて、現に通信確立されているデジタル複合機の属性情報を示す表示画面の例示図である。該表示画面には、現に通信確立されているデジタル複合機（装置名）が、「○○店１号機」である旨の場所情報と、「○○店１号機」に固有の星の模様が表示されている。
【０１１５】
この際、例えば、デジタル複合機１００の表示部１０３にも、デジタル複合機１００を特定する、デジタル複合機１００に固有の星の模様が表示される。図１１は本発明の実施の形態２に係る通信システムにおける、デジタル複合機１００での固有の模様の表示を例示する例示図である。
【０１１６】
図１０に示す表示画面に星の模様が表示され、この際に、デジタル複合機１００にも同じく星の模様が表示されるので（図１１参照）、ユーザは、携帯電話機１０の表示画面に表示された模様と、デジタル複合機１００の表示部１０３に表示された模様とを比較することによって、現に通信確立されているデジタル複合機が手前のデジタル複合機１００であるか否かを容易、かつ正確に確認できる。
【０１１７】
更に、本発明の実施の形態２に係る通信システムはこれに限るものでなく、デジタル複合機１００の自機表示部１０５に、前記自機固有の模様が表示されるように構成しても良い。
【０１１８】
例えば、ユーザが操作パネル１８を適宜操作して図１０に示す「別の店舗のデジタル複合機と接続」のソフトキーを選択し、近隣の他のデジタル複合機を表示する旨要求した場合、携帯電話機１０のＣＰＵ１が斯かる要求を受け付けたと判定し（ステップＳ１０９：ＹＥＳ）、デジタル複合機１００に、前記近隣装置リストを送信するとの要求を送信する（ステップＳ１１０）。
【０１１９】
これに応じて、デジタル複合機１００の制御部１０１は近隣装置リストを生成して（ステップＳ２０４）、携帯電話機１０に送信する（ステップＳ２０５）。
【０１２０】
携帯電話機１０のＣＰＵ１は、デジタル複合機１００から近隣装置リストを受信して表示部１６に表示する（ステップＳ１１１）。
【０１２１】
図１２は本発明の実施の形態２に係る通信システムにおける、近隣装置リストの表示画面を説明する例示図である。該近隣装置リストの表示画面には、現に通信確立されているデジタル複合機として「○○店１号機」との場所情報と共に、「○○店１号機」に固有の模様が表示されている。また、その他のデジタル複合機として「△△店１号機」との場所情報と共に、「△△店１号機」に固有の模様が表示されている。
【０１２２】
ユーザは操作パネル１８を適宜操作して、表示部１６に表示されたデジタル複合機のうち、何れかを選択することができる。
【０１２３】
以上の記載においては、属性情報として、場所情報と共に、固有の模様が携帯電話機１０に表示される場合を例にあげて説明したが、実施の形態２に係る発明は、これに限るものでない。例えば、携帯電話機１０に前記場所情報又は固有の模様を表示する際、斯かる文字、模様又は表示部の背景に所定色を付けて表示すると共に、通信が確立した相手のデジタル複合機の表示部も該所定色にて点灯又は点滅させるように構成しても良い。
【０１２４】
（実施の形態３）
本発明の実施の形態３に係る通信システムにおいては、携帯電話機１０と所定のデジタル複合機との通信確立において、よりセキュアな接続が可能である。
【０１２５】
図１３及び図１４は本発明の実施の形態３に係る通信システムにおける、通信確立の処理を説明するフローチャートである。説明の便宜上、ユーザが携帯電話機１０からコンビニエンスストアに設置されたデジタル複合機に印刷データを送信し、該デジタル複合機を用いて印刷を行なう場合を例として説明する。
【０１２６】
まず、ユーザは携帯電話機１０の操作パネル１８を適宜操作し、コンビニエンスストアのデジタル複合機を用いた印刷のためのアプリケーションを起動するよう指示する。ＣＰＵ１は操作パネル１８を介して斯かる指示を受け付け、当該アプリケーションを起動させる（ステップＳ３０１）。
【０１２７】
デジタル複合機は自機に係る属性情報及び接続情報を含む電波を常時外部に送出しており（ステップＳ４０１）、ユーザ（携帯電話機１０）が何れかのデジタル複合機から送出される電波の通信圏内に移動した場合、携帯電話機１０のＣＰＵ１は、無線ＬＡＮ通信部１７を介して、当該デジタル複合機からの電波を受信する（ステップＳ３０２）。
【０１２８】
この際、ＣＰＵ１は受信電波に係るＳＳＩＤを、記憶部１４に予め記憶されているＳＳＩＤと比較し、一致するか否かを判定する（ステップＳ３０３）。例えば、受信電波が複数である場合には、各受信電波に対してＳＳＩＤが一致するか否かを判定する。
【０１２９】
ＣＰＵ１は受信電波に係るＳＳＩＤが記憶部１４に予め記憶されているＳＳＩＤと一致しないと判定した場合（ステップＳ３０３：ＮＯ）、処理をステップＳ３０２に戻す。また、ＣＰＵ１は、受信電波に係るＳＳＩＤが記憶部１４に予め記憶されているＳＳＩＤと一致すると判定した場合（ステップＳ３０３：ＹＥＳ）、ステップＳ３０２にて受信された受信電波が単数であるか否かを更に判定する（ステップＳ３０４）。
【０１３０】
ＣＰＵ１は受信電波が単数であると判定した場合（ステップＳ３０４：ＹＥＳ）、処理をステップＳ３０７に進める。一方、ＣＰＵ１が受信電波を単数でないと判定した場合（ステップＳ３０４：ＮＯ）、すなわち、受信電波が複数である場合、電波強度検出部４は斯かる複数の受信電波に対して電波強度を検出する（ステップＳ３０５）。
【０１３１】
次いで、選択部５は、電波強度検出部４による電波強度検出結果に基づき、最も電波強度の強い受信電波を選択する（ステップＳ３０６）。
【０１３２】
ＣＰＵ１は選択部５によって選択された被選択電波に係る属性情報によって特定されるデジタル複合機に通信確立を要求する（ステップＳ３０７）。
【０１３３】
この際、ＣＰＵ１は、前記被選択電波に係る接続情報に基づき、無線ＬＡＮ通信部１７を設定する。また、通信確立を要求する旨のデータが無線ＬＡＮ通信部１７を介してデジタル複合機１００に送信される。
【０１３４】
本実施の形態においては、説明の便宜上、ユーザの位置がコンビニエンスストア○○店の店舗内であり、該○○店舗に設置されたデジタル複合機１００から送出された電波の強度が最も強いので、デジタル複合機１００との通信確立が行なわれるものとする。（図１参照）
【０１３５】
これに対して、デジタル複合機１００は前記通信確立の要求を受信し、通信確立の応答を携帯電話機１０に送信し（ステップＳ４０２）、自機の属性情報を、無線ＬＡＮ通信部１０６を介して、携帯電話機１０に送る（ステップＳ４０３）。
【０１３６】
この後、デジタル複合機１００の制御部１０１は、任意のパスワードを生成して表示部１０３に表示させる（ステップＳ４０４）。従って、デジタル複合機１００の付近に居るユーザであれば、斯かるパスワードが視認出来る。
【０１３７】
一方、デジタル複合機１００の属性情報を受信した携帯電話機１０のＣＰＵ１は、これに基づき、現に通信確立されているデジタル複合機１００に対する属性情報を表示部１６に表示する（ステップＳ３０８）。（図８参照）
【０１３８】
例えば、ユーザが手前のデジタル複合機でよいと判断した場合には、操作パネル１８を適宜操作して図８に示す表示画面の「コンビニプリントのメニュー画面を起動」のソフトキーを選択し、該メニュー画面を介して印刷設定を行なう。
【０１３９】
一方、ユーザが操作パネル１８を適宜操作して図８に示す表示画面の「別の店舗のデジタル複合機と接続」のソフトキーを選択し、近隣の他のデジタル複合機を表示する旨要求した場合、要求受付部６は操作パネル１８を介して斯かる要求を受け付ける。
【０１４０】
この際、ＣＰＵ１は要求受付部６又は操作パネル１８を監視することにより、他のデジタル複合機を表示する要求を受け付けたか否かを判定する（ステップＳ３０９）。
【０１４１】
ＣＰＵ１は他のデジタル複合機を表示する要求を受け付けたと判定した場合（ステップＳ３０９：ＹＥＳ）、処理をステップＳ３１５に進める。
【０１４２】
一方、ＣＰＵ１は、例えば、所定時間の間、他のデジタル複合機を表示する要求を受け付けなかったと判定した場合（ステップＳ３０９：ＮＯ）、表示部１６にパスワードの入力を受け付けるための画面（以下、パスワード入力画面という）を表示する（ステップＳ３１０）。
【０１４３】
この際、ユーザは、ステップＳ４０４にて、デジタル複合機１００の表示部１０３に表示されていたパスワードを入力する。また、ＣＰＵ１は、前記パスワード入力画面を介して、ユーザからパスワードを受け付ける。該パスワードは無線ＬＡＮ通信部１７を介してデジタル複合機１００に送信される（ステップＳ３１１）。
【０１４４】
これによって、デジタル複合機１００は、無線ＬＡＮ通信部１０６を介して、携帯電話機１０からパスワードを受信する（ステップＳ４０５）。
【０１４５】
デジタル複合機１００の制御部１０１は、受信したパスワードの認証を行なう。詳しくは、制御部１０１はステップＳ４０４にて生成・表示されたパスワードと、携帯電話機１０から受信したパスワードとが一致するか否かを判定し、承認するか否かを決定する。
【０１４６】
制御部１０１は、このような認証結果を、無線ＬＡＮ通信部１０６を介して、携帯電話機１０に送る（ステップＳ４０６）。
【０１４７】
携帯電話機１０は、無線ＬＡＮ通信部１７を介して、デジタル複合機１００から斯かる認証結果を受信する（ステップＳ３１２）。
【０１４８】
携帯電話機１０のＣＰＵ１は、受信した認証結果が承認する旨のものであるか否かを判定する（ステップＳ３１３）。ＣＰＵ１は、受信した認証結果が承認する旨のものであると判定した場合（ステップＳ３１３：ＹＥＳ）、処理をステップＳ３２１に進める。
【０１４９】
また、ＣＰＵ１は、受信した認証結果が承認する旨のものでないと判定した場合（ステップＳ３１３：ＮＯ）、表示部１６に、エラーが発生した旨を表示する（ステップＳ３１４）。以降、処理は終了する。
【０１５０】
一方、ステップＳ３０９にて、ＣＰＵ１により、他のデジタル複合機を表示する要求を受け付けたと判定された場合における、携帯電話機１０での処理（ステップＳ３１５〜ステップＳ３２２）及び、斯かる携帯電話機１０の処理に対応するデジタル複合機１００での処理（ステップＳ４０７〜ステップＳ４１２）は、各々、実施の形態１における、ステップＳ１１０〜ステップＳ１１７、及びステップＳ２０４〜ステップＳ２０９と同様であるので、詳しい説明を省略する。
【０１５１】
（実施の形態４）
図１５は本発明の実施の形態４の携帯電話機１０の要部構成を示す機能ブロック図である。実施の形態４の携帯電話機１０は、動作を行うためのコンピュータプログラムが、Ｉ／Ｆ１９を介してＣＤ−ＲＯＭ等の可搬型記録媒体Ａで提供することも可能であるように構成されている。さらに、実施の形態４の携帯電話機１０は、前記コンピュータプログラムを、図示しない外部装置から通信部（図示せず）を介してダウンロードすることも可能であるように構成されている。以下に、その内容を説明する。
【０１５２】
実施の形態４の携帯電話機１０は外装（又は内装）の記録媒体読み取り装置（図示せず）を備えており、該記録媒体読み取り装置に、複数の外部装置（デジタル複合機）からの受信電波に係る識別情報（ＳＳＩＤ）が同一である場合、該複数の外部装置から装置情報（属性情報）を取得して表示させ、表示された装置情報の中、何れかの選択を受付させ、受け付けられた選択に係る装置情報に対応する外部装置を、通信確立を行なうべき外部装置として選択させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態４の本発明の携帯電話機１０として機能する。
【０１５３】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１５４】
前記通信部を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１５５】
実施の形態１と同様の部分については、同一の符号を付して詳細な説明を省略する。
【符号の説明】
【０１５６】
１  ＣＰＵ
４  電波強度検出部
５  選択部
６  要求受付部
１０  携帯電話機  
１１  制御部
１５  電波強度測定部
１７  無線ＬＡＮ通信部
１００  デジタル複合機  
１０１  制御部
１０４  記憶部
１０５  自機表示部  
１０６  無線ＬＡＮ通信部
Ａ  可搬型記録媒体
【図１】
2013143697.tif 000003
【図２】
2013143697.tif 000004
【図３】
2013143697.tif 000005
【図４】
2013143697.tif 000006
【図５】
2013143697.tif 000007
【図６】
2013143697.tif 000008
【図７】
2013143697.tif 000009
【図８】
2013143697.tif 000010
【図９】
2013143697.tif 000011
【図１０】
2013143697.tif 000012
【図１１】
2013143697.tif 000013
【図１２】
2013143697.tif 000014
【図１３】
2013143697.tif 000015
【図１４】
2013143697.tif 000016
【図１５】
2013143697.tif 000017